【手続補正書】
【提出日】平成20年9月2日(2008.9.2)
【手続補正１】
【補正対象書類名】明細書
【補正対象項目名】全文
【補正方法】変更
【補正の内容】
【書類名】  明細書
【発明の名称】  炊飯器
【特許請求の範囲】
【請求項１】  内鍋を着脱自在に収納した炊飯器本体と、前記炊飯器本体の上部を覆う蓋と、前記炊飯器本体の内底部に設けた前記内鍋の加熱用基板および冷却ファンと、前記炊飯器本体の底面部に設けた冷却用の吸気孔と、前記炊飯器本体の底面外周部および側面下方部に設けた冷却用の排気孔とを備え、前記排気孔の内側で、かつ前記炊飯器本体の内面側に異物侵入防止壁を配置した炊飯器。
【請求項２】  炊飯器本体の側面部に、異物侵入防止壁の高さの位置まで排気孔を設けた請求項１記載の炊飯器。
【請求項３】  排気口の内側で、かつ吸気孔と前記排気孔を区別するように、炊飯器本体の底部外面側に前記炊飯器本体の載置面に向かって立壁を配置した請求項１または２記載の炊飯器。
【請求項４】  炊飯器本体の底部外面部で、かつ吸気孔の外側に前記炊飯器本体の載置面に向かって配置した立壁は互いにオーバーラップした請求項１〜３のいずれか１項に記載の炊飯器。
【請求項５】  吸気孔はフィルター作用のある吸気カバーで覆い、前記吸気カバーの孔と吸気孔は互いに重なり合うことなく配置した請求項１〜４のいずれか１項に記載の炊飯器。
【発明の詳細な説明】
【０００１】
【発明の属する技術分野】
本発明は、内鍋を誘導加熱する加熱用基板と、加熱用基板を冷却する冷却ファンを配置した炊飯器に関するものである。
【０００２】
【従来の技術】
従来、この種の炊飯器は図４に示すように構成していた。以下、その構成について説明する。
【０００３】
図４に示すように、炊飯器本体１は、板金で形成したボディ２と上枠３と下枠４で構成し、内鍋５を着脱自在に収納している。内鍋５の底部に電磁誘導加熱で内鍋５を発熱させる誘導コイル６を設置しており、誘導コイル６の下側に誘導加熱するための加熱用基板７
と、加熱用基板７を冷却する冷却ファン８を配置している。
【０００４】
また、この冷却ファン８による冷却のために、下枠４の底部に吸気孔９ａと排気孔９ｂを設けており、冷却性能を確保している。
【０００５】
【発明が解決しようとする課題】
炊飯器に求められる第１の機能は、基本性能のご飯をおいしく炊き上げることである。ご飯をおいしく炊き上げるためには、高火力で一気に炊き上げることが必要になってくるが、このために、近年、炊飯器は電磁誘導加熱方式を採用している。
【０００６】
ここで、電磁誘導加熱をする際、誘導加熱を行うための加熱用基板７の部品の発熱をどう効率よく冷却するかが問題であり、高火力で炊飯を行うには冷却性能を向上することが重要になってくる。
【０００７】
基本的に炊飯器の冷却構成は、加熱用基板７の発熱部品にヒートシンクを取り付け、ヒートシンクにて熱の発散を行うとともに、ヒートシンクに冷却ファン８からの風を当てることで、発熱部品を冷却している。ここで、重要なことは、いかに効率よく冷却ファン８で冷えた空気を吸い込み、ヒートシンクに風を送り出し、冷却後の高温になった空気を炊飯器外部に放出するかである。
【０００８】
このためには、吸気孔９ａおよび排気孔９ｂの拡大が必要であるが、炊飯器本体１の外面に穴を設けることは、外部の異物が炊飯器本体１の内部に侵入してくる可能性も拡大することにある。たとえば、業務用の炊飯器等では炊飯器を床面近くに設置することが多く、清掃のために床面にホース等で水を撒くことがあり、床面に当たって飛び散った水が吸気孔９ａおよび排気孔９ｂから炊飯器本体１の内部に侵入して充電部に付着する可能性がある。
【０００９】
このために、吸気孔９ａ、排気孔９ｂと炊飯器本体１の内部の充電部の距離をある程度離す必要があり、炊飯器本体１のコンパクト化の障害になっていた。
【００１０】
本発明は上記従来の課題を解決するもので、加熱用基板の冷却を向上するとともに炊飯器の外部からの異物の侵入を防ぎ、安全性を確保しながら、製品をコンパクト化し、冷却構成を向上することで炊飯性能をも向上することを目的としている。
【００１１】
【課題を解決するための手段】
本発明は上記目的を達成するために、内鍋を着脱自在に収納した炊飯器本体の上部を蓋で覆い、炊飯器本体の内底部に内鍋の加熱用基板および冷却ファンを設けるとともに、炊飯器本体の底面部に冷却用の吸気孔と、炊飯器本体の底面外周部および側面下方部に冷却用の排気孔を設け、排気孔の内側で、かつ炊飯器本体の内面側に異物侵入防止壁を配置したものである。
【００１２】
これにより、加熱用基板の冷却を向上できるとともに炊飯器の外部からの異物の侵入を防止することができ、安全性を確保しながら、製品をコンパクト化でき、冷却構成を向上することで炊飯性能をも向上することができる。
【００１３】
【発明の実施の形態】
本発明の請求項１に記載の発明は、内鍋を着脱自在に収納した炊飯器本体と、前記炊飯器本体の上部を覆う蓋と、前記炊飯器本体の内底部に設けた前記内鍋の加熱用基板および冷却ファンと、前記炊飯器本体の底面部に設けた冷却用の吸気孔と、前記炊飯器本体の底面外周部および側面下方部に冷却用の排気孔とを備え、前記排気孔の内側で、かつ前記炊
飯器本体の内面側に異物侵入防止壁を配置したものであり、加熱用基板の冷却を向上できるとともに炊飯器の外部からの異物の侵入を防止することができ、安全性を確保しながら、製品をコンパクト化でき、冷却構成を向上することで炊飯性能をも向上することができる。
【００１４】
請求項２に記載の発明は、上記請求項１に記載の発明において、炊飯器本体の側面部に、異物侵入防止壁の高さの位置まで排気孔を設けたものであり、異物浸入防止壁で異物を遮断しながら、排気孔の面積を拡大することができ、冷却性能を向上することができるとともに、安全性を確保することができる。
【００１５】
請求項３に記載の発明は、上記請求項１または２に記載の発明において、排気口の内側で、かつ吸気孔と前記排気孔を区別するように、炊飯器本体の底部外面側に前記炊飯器本体の載置面に向かって立壁を配置したものであり、立壁により吸気孔と排気孔を完全に区別することができて、冷却性能を向上することができるとともに、吸気孔、排気孔以外の炊飯器本体の孔からの異物侵入を防止することができる。
【００１６】
請求項４に記載の発明は、上記請求項１〜３に記載の発明において、炊飯器本体の底部外面部で、かつ吸気孔の外側に前記炊飯器本体の載置面に向かって配置した立壁は互いにオーバーラップしたものであり、吸気性能を低下させることなく立壁を配置することができ、冷却性能を低下することなく、異物の侵入を防止することができる。
【００１７】
請求項５に記載の発明は、上記請求項１〜４に記載の発明において、吸気孔はフィルター作用のある吸気カバーで覆い、前記吸気カバーの孔と吸気孔は互いに重なり合うことなく配置したものであり、吸気孔からの空気を吸い込む際、床面に溜まっていた水を同時に吸い込むのを防止することができる。
【００１８】
【実施例】
以下、本発明の一実施例について、図面を参照しながら説明する。
【００１９】
図１に示すように、炊飯器本体１０は、内鍋１１を着脱自在に収納し、この炊飯器本体１０は上枠１２、ボディ１３、下枠１４で構成している。炊飯器本体１０の上面に、後方部のヒンジ部１５に軸支している蓋１６を設置している。内鍋１１の下方に内鍋収納部である保護枠下１７を設置しており、この保護枠下１７に誘導加熱用の誘導コイル１８を取り付けている。
【００２０】
また、誘導コイル１８のさらに下方にフェライト１９を接着した保護枠カバー２０を設置しており、保護枠下１７と保護枠カバー２０で誘導コイル１８を挟み込む構成としている。また、保護枠カバー２０に誘導加熱をするための加熱用基板２１とこの加熱用基板２１を冷却する冷却ファン２２を設置している。
【００２１】
炊飯器本体１０を構成している下枠１４の冷却ファン２２の下方に吸気孔１４ａを設けており、この吸気孔１４ａを覆うようにフィルター作用のある吸気カバー２３を設置している。この吸気カバー２３に開けている孔は吸気孔１４ａと互いに重なり合うことなく配置している。また、下枠１４の底面および下方側面部に排気孔１４ｂを設けている。
【００２２】
また、図２および図３に示すように、下枠１４の底面外周部および側面下方部に排気孔１４ｂを設けており、この排気孔１４ｂの内側（内鍋１２の中心側）で、下枠１４の外面側にリブ（立壁）１４ｃを設け、吸気孔１４ａの外側にリブ（立壁）１４ｄを設けており、かつ下枠１４の内面側にリブ（異物侵入防止壁）１４ｅを設けている。このリブ１４ｃおよび１４ｄの高さは炊飯器本体１１の載置面から約３ｍｍの高さにしている。また、下
枠１４の側面側の排気孔１４ｂの配置位置はリブ１４ｅの高さ以下になるように配置している。
【００２３】
リブ１４ｃの底面から見た配置は、図３に示すように、吸気孔１４ａと排気孔１４ｂを完全に区分するように配置しており、また、吸気孔１４ａの外側のリブ１４ｄは互いにオーバーラップするように配置している。
【００２４】
上記構成において作用を説明する。炊飯器の設置場所は水などが良く飛び散る流し台等が多く、また、業務用炊飯器においては、床面近くに炊飯器を設置し床面をホース等で水を撒き、清掃することも日常茶飯事であり、炊飯器に水が飛び散る機会は多い。
【００２５】
ここで、まず、吸気カバー２３の孔と吸気孔１４ａが互いに重ならないように配置しているのて、冷却ファン２２が冷却のために空気を吸い込む際、床面に最初から溜まっていた水を空気と同時に炊飯器本体１１の内部に吸い込み、侵入しないようにできる。
【００２６】
つぎに、清掃時に水を床面に散水し、床面に衝突した水が下枠１４の底面に設けた排気孔１４ｂから炊飯器本体１１内部に侵入してきた場合、リブ１４ｅにより水は遮断され、内部には侵入しない。
【００２７】
また、リブ１４ｅを設置しているので、下枠１４の側面に排気孔１４ｂを配置しても、図３の矢印で示すように、下枠１４の側面の排気孔１４ｂから直接炊飯器本体１１に侵入してくる水をリブ１４ｅにより遮ることができる。加えて、側面に排気孔１４ｂを配置することは、冷却性能から見ると重要な役割を果たしている。
【００２８】
排気孔１４ｂが底面のみにしかない場合、排気された空気は床面に衝突してしまうしかなく、排気構造として見ると、床面が排気の障害物となっており、効率的な排気構造をとることができない。しかし、下枠１４の側面に排気孔１４ｂを配置することで、排気された空気は障害物に邪魔されることなく、排気されるのである。
【００２９】
また、底面にリブ１４ｃを、図３に示すように配置することで、吸気と排気を完全に区別することができる。この吸気と排気を区別することは、冷却に使われ、排気された空気を再び吸気しないようにできる。一度、冷却に使われた空気は高温になっており、この高温になった空気を再度吸気していたのでは、冷却効率は低下してしまい、炊飯が進行していくにつれて冷却能力が下がってしまうのである。
【００３０】
また、炊飯器の底面には吸気孔１４ａおよび排気孔１４ｂだけではなく、その他にも数点穴が設けているため、それらの穴からの水等の異物に侵入をも防いでいる。
【００３１】
また、吸気孔１４ａの外側のリブ１４ｄを互いにオーバーラップして配置することで、吸気孔１４ａ側からも異物侵入を防ぐことができるとともに、冷却のための空気も効率低下をすることなく吸気することができる。
【００３２】
このように、下枠１４に排気孔１４ｂ、吸気孔１４ａ、リブ１４ｃ、１４ｄ、１４ｅを配置することで、吸気孔１４ａ、排気孔１４ｂ近くに水分が接触してはいけない、基板部品等の充電部を設置することができ、従来確保していた空間を縮小することができ、製品をコンパクト化することができる。
【００３３】
また、炊飯器を後方および側面側に壁があるような場所に設置した場合においても、炊飯器全周に吸気孔１４ａ、排気孔１４ｂを設けることができるために、冷却性能の低下を最小限にとどめることができるようになり、従来、設置場所による冷却性能の低下分の余
裕をとる必要があったが、本実施例においては、今までの余裕分を炊飯パワーに上乗せすることができるようになる。
【００３４】
このような構成により、冷却効率を最大限に向上し、さらに外部からの異物侵入にも対応することができるために、安全であり、かつ炊飯性能を向上することができるとともに、製品のコンパクト化をも実現した炊飯器を提供することができる。
【００３５】
【発明の効果】
以上のように本発明の請求項１に記載の発明によれば、内鍋を着脱自在に収納した炊飯器本体と、前記炊飯器本体の上部を覆う蓋と、前記炊飯器本体の内底部に設けた前記内鍋の加熱用基板および冷却ファンと、前記炊飯器本体の底面部に設けた冷却用の吸気孔と、前記炊飯器本体の底面外周部および側面下方部に冷却用の排気孔とを備え、前記排気孔の内側で、かつ前記炊飯器本体の内面側に異物侵入防止壁を配置したから、加熱用基板の冷却を向上できるとともに炊飯器の外部からの異物の侵入を防止することができ、安全性を確保しながら、製品をコンパクト化でき、冷却構成を向上することで炊飯性能をも向上することができる。
【００３６】
また、請求項２に記載の発明によれば、炊飯器本体の側面部に、異物侵入防止壁の高さの位置まで排気孔を設けたから、異物浸入防止壁で異物を遮断しながら、排気孔の面積を拡大することができ、冷却性能を向上することができるとともに、安全性を確保することができる。
【００３７】
また、請求項３に記載の発明によれば、排気口の内側で、かつ吸気孔と前記排気孔を区別するように、炊飯器本体の底部外面側に前記炊飯器本体の載置面に向かって立壁を配置したから、立壁により吸気孔と排気孔を完全に区別することができて、冷却性能を向上することができるとともに、吸気孔、排気孔以外の炊飯器本体の孔からの異物侵入を防止することができる。
【００３８】
また、請求項４に記載の発明によれば、炊飯器本体の底部外面部で、かつ吸気孔の外側に前記炊飯器本体の載置面に向かって配置した立壁は互いにオーバーラップしたから、吸気性能を低下させることなく立壁を配置することができ、冷却性能を低下することなく、異物の侵入を防止することができる。
【００３９】
また、請求項５に記載の発明によれば、吸気孔はフィルター作用のある吸気カバーで覆い、前記吸気カバーの孔と吸気孔は互いに重なり合うことなく配置したから、吸気孔からの空気を吸い込む際、床面に溜まっていた水を同時に吸い込むのを防止することができる。
【図面の簡単な説明】
【図１】
本発明の一実施例の炊飯器の断面図
【図２】
同炊飯器の裏面図
【図３】
同炊飯器の要部拡大断面図
【図４】
従来の炊飯器の断面図
【符号の説明】
１０  炊飯器本体
１１  内鍋
１６  蓋
２１  加熱用基板
２２  冷却ファン
１４ａ  吸気孔
１４ｂ  排気孔
１４ｅ  リブ（異物侵入防止壁）